【手続補正書】
【提出日】平成20年7月8日(2008.7.8)
【手続補正１】
【補正対象書類名】明細書
【補正対象項目名】特許請求の範囲
【補正方法】変更
【補正の内容】
【特許請求の範囲】
【請求項１】受信装置での再生開始時刻から終了時刻までの再生時間枠が定められた特定番組を放送する放送装置であって、
前記再生時間枠における放送帯域を特定番組に割り当て、前記再生時間枠直前の先行期間における放送帯域について、放送帯域の一部を特定番組に、放送帯域の他の部分を他の番組に割り当てる割り当て手段と、
割り当て手段による割り当て結果に従って、前記先行期間において前記他の番組の番組データを繰り返し送信するとともに特定番組の番組データを送信し、前記再生時間枠において特定番組の番組データを繰り返し送信する送信手段と、
特定番組の再生開始時刻前に、受信装置に、受信した前記特定番組の番組データをキャッシュさせるキャッシュ指示メッセージを送出するキャッシュ指示メッセージ送信手段と、
所定のタイミングで、受信装置に、記録されている前記特定番組の番組データを再生させる再生指示メッセージを送出する再生指示メッセージ送信手段とを備え、
前記割り当て手段は、前記先行期間の開始時刻を第１の時刻とし、前記第１の時刻と再生開始時刻との間の時刻を第２の時刻とし、第１の時刻から、第２の時刻までは、前記特定番組に、所定帯域以下の放送帯域を割り当て、第２の時刻から、再生終了時刻までは、前記特定番組に、所定帯域以上の放送帯域を割り当てる
ことを特徴とする放送装置。
【請求項２】前記キャッシュ指示メッセージ送信手段は、
特定番組の再生開始時刻前において、当該特定番組の番組データの送信周期以下の時間間隔で、前記キャッシュ指示メッセージを繰り返し送信すること
を特徴とする請求項１記載の放送装置。
【請求項３】前記送信手段により前記先行期間において繰り返し送信する前記他の番組の番組データ内には、受信装置において特定番組の番組データを受信したらキャッシュさせる命令が含まれていることを特徴とする請求項１記載の放送装置。
【請求項４】  前記再生指示メッセージは、その受信直後に、受信装置に、記録されている前記特定番組の番組データを再生させるメッセージであり、
前記再生指示メッセージ送信手段は、前記再生指示メッセージを特定番組の再生開始時刻に送出する
ことを特徴とする請求項１記載の放送装置。
【請求項５】  前記再生指示メッセージは、受信装置に、記録されている前記特定番組の番組データを、前記特定番組の再生開始時刻に、再生させるメッセージであり、
前記再生指示メッセージ送信手段は、前記再生指示メッセージを特定番組の再生開始時刻前に送出する
ことを特徴とする請求項１記載の放送装置。
【請求項６】特定番組の再生終了時刻に、これの受信直後に、受信装置に、記録されている前記特定番組の番組データを削除させるメッセージである削除指示メッセージを送出する削除指示メッセージ送信手段を備えたことを特徴とする請求項１記載の放送装置。
【請求項７】特定番組の再生終了時刻前に、受信装置に、記録されている前記特定番組の番組データを、前記特定番組の再生終了時刻に削除させるメッセージである削除指示メッセージを送出する削除指示メッセージ送信手段とを備えたことを特徴とする請求項１記載の放送装置。
【請求項８】特定番組用の番組データには、第１の番組データと、第１の番組データとは少なくとも一部が異なる第２の番組データの２種類があり、前記送信手段は、第１の時刻から再生開始時刻までは、第１の番組データを送信し、第２の時刻から再生終了時刻までは、第２の番組データを送信することを特徴とする請求項１記載の放送装置。
【請求項９】前記割り当て手段における、第２の時刻から再生開始時刻までの時間と、第２の時刻から再生開始時刻までの前記特定番組の放送帯域とは、前記特定番組の番組データのデータ量以上のデータの送信に必要なものであることを特徴とする請求項１記載の放送装置。
【請求項１０】前記割り当て手段は、前記第２の時刻から再生開始時刻までに割り当てる特定番組用の番組データの放送帯域を、前記再生開始時刻から再生終了時刻までに割り当てる放送帯域よりも小さくすることを特徴とする請求項１記載の放送装置。
【請求項１１】前記割り当て手段では、第１の時刻から第２の時刻までに、前記特定番組に割り当てる放送帯域を一定値とすることを特徴とする請求項１記載の放送装置。
【請求項１２】受信装置での再生開始時刻から終了時刻までの再生時間枠が定められた特定番組を放送する放送装置であって、
前記再生時間枠における放送帯域を特定番組に割り当て、前記再生時間枠直前の先行期間における放送帯域について、放送帯域の一部を特定番組に、放送帯域の他の部分を他の番組に割り当てる割り当て手段と、
割り当て手段による割り当て結果に従って、前記先行期間において前記他の番組の番組データを繰り返し送信するとともに特定番組の番組データを送信し、前記再生時間枠において特定番組の番組データを繰り返し送信する送信手段と
を備え、
前記割り当て手段は、前記先行期間の開始時刻を第１の時刻とし、前記第１の時刻と再生開始時刻との間の時刻を第２の時刻とし、第１の時刻から、第２の時刻までは、前記特定番組に、所定帯域以下の放送帯域を割り当て、第２の時刻から、再生終了時刻までは、前記特定番組に、所定帯域以上の放送帯域を割り当て、
前記送信手段は、先行期間において、第２のＩＤが付された特定番組の番組データを送出し、再生時間枠において、前記特定番組の番組データとともに、このＩＤが付された番組データは、受信装置において必ず取込まれるものであるところの第１のＩＤが付され、かつ受信装置に対して、第２のＩＤの番組データを受信したら当該番組データをキャッシュさせる指示と当該番組データを再生させる指示とを含むコントールデータを繰り返し送信する
ことを特徴とする放送装置。
【請求項１３】受信装置での再生開始時刻から終了時刻までの再生時間枠が定められた特定番組を放送する放送装置であって、
前記再生時間枠における放送帯域を特定番組に割り当て、前記再生時間枠直前の先行期間における放送帯域について、放送帯域の一部を特定番組に、放送帯域の他の部分を他の番組に割り当てる割り当て手段と、
割り当て手段による割り当て結果に従って、前記先行期間において前記他の番組の番組データを繰り返し送信するとともに特定番組の番組データを送信し、前記再生時間枠において特定番組の番組データを繰り返し送信する送信手段と
特定番組の再生開始時刻前に、特定番組の番組データをキャッシュ、再生又は削除する命令と、前記各命令の命令ＩＤとの対応関係情報を含むテーブルデータを送出するテーブルデータ送信手段と、
特定番組の再生開始時刻前に、キャッシュ命令を特定する命令ＩＤと、前記特定番組の番組データを特定する番組ＩＤとからなる第１メッセージを送出する第１メッセージ送信手段と、
特定番組の再生開始時刻に、再生命令を特定する命令ＩＤと、前記特定番組の番組データを特定する番組ＩＤとからなる第２メッセージを送出する第２メッセージ送信手段と、
特定番組の再生終了時刻に、削除命令を特定する命令ＩＤと、前記特定番組の番組データを特定する番組ＩＤとからなる第３メッセージを送出する第３メッセージ送信手段とを備え、
前記割り当て手段は、前記先行期間の開始時刻を第１の時刻とし、前記第１の時刻と再生開始時刻との間の時刻を第２の時刻とし、第１の時刻から、第２の時刻までは、前記特定番組に、所定帯域以下の放送帯域を割り当て、第２の時刻から、再生終了時刻までは、前記特定番組に、所定帯域以上の放送帯域を割り当てる
ことを特徴とする放送装置。
【請求項１４】受信装置での再生開始時刻から終了時刻までの再生時間枠が定められた特定番組を放送する放送装置であって、
前記再生時間枠における放送帯域を特定番組に割り当て、前記再生時間枠直前の先行期間における放送帯域について、放送帯域の一部を特定番組に、放送帯域の他の部分を他の番組に割り当てる割り当て手段と、
割り当て手段による割り当て結果に従って、前記先行期間において前記他の番組の番組データを繰り返し送信するとともに特定番組の番組データを送信し、前記再生時間枠において特定番組の番組データを繰り返し送信する送信手段と
特定番組の再生開始時刻前に、特定番組の番組データをキャッシュ、再生又は削除する命令と、受信したときに前記各命令を受信装置に実行させるデータを特定するためのデータＩＤとの対応関係情報を含むテーブルデータを送出するテーブルデータ送信手段と、
特定番組の再生開始時刻前に、キャッシュ命令を受信装置に実行させるデータを特定するためのデータＩＤが付されている第１データを送出する第１データ送信手段と、
特定番組の再生開始時刻に、再生命令を受信装置に実行させるデータを特定するためのデータＩＤが付されている第２データを送出する第２データ送信手段と、
特定番組の再生終了時刻に、削除命令を受信装置に実行させるデータを特定するためのデータＩＤが付されている第３データを送出する第３データ送信手段とを備え、
前記割り当て手段は、前記先行期間の開始時刻を第１の時刻とし、前記第１の時刻と再生開始時刻との間の時刻を第２の時刻とし、第１の時刻から、第２の時刻までは、前記特定番組に、所定帯域以下の放送帯域を割り当て、第２の時刻から、再生終了時刻までは、前記特定番組に、所定帯域以上の放送帯域を割り当てる
ことを特徴とする放送装置。
【請求項１５】受信装置での再生開始時刻から終了時刻までの再生時間枠が定められた特定番組を放送する放送方法であって、
前記再生時間枠における放送帯域を特定番組に割り当て、前記再生時間枠直前の先行期間における放送帯域について、放送帯域の一部を特定番組に、放送帯域の他の部分を他の番組に割り当てる割り当てステップと、
割り当て手段による割り当て結果に従って、前記先行期間において前記他の番組の番組データを繰り返し送信するとともに特定番組の番組データを送信し、前記再生時間枠において特定番組の番組データを繰り返し送信する送信ステップと、
特定番組の再生開始時刻前に、受信装置に、受信した前記特定番組の番組データをキャッシュさせるキャッシュ指示メッセージを送出するキャッシュ指示メッセージ送信ステップと、
所定のタイミングで、受信装置に、記録されている前記特定番組の番組データを再生させる再生指示メッセージを送出する再生指示メッセージ送信ステップとを含み、
前記割り当てステップでは、前記先行期間の開始時刻を第１の時刻とし、前記第１の時刻と再生開始時刻との間の時刻を第２の時刻とし、第１の時刻から、第２の時刻までは、前記特定番組に、所定帯域以下の放送帯域を割り当て、第２の時刻から、再生終了時刻までは、前記特定番組に、所定帯域以上の放送帯域を割り当てる
ことを特徴とする放送方法。
【請求項１６】受信装置での再生開始時刻から終了時刻までの再生時間枠が定められた特定番組を放送する放送方法であって、
前記再生時間枠における放送帯域を特定番組に割り当て、前記再生時間枠直前の先行期間における放送帯域について、放送帯域の一部を特定番組に、放送帯域の他の部分を他の番組に割り当てる割り当てステップと、
割り当て手段による割り当て結果に従って、前記先行期間において前記他の番組の番組データを繰り返し送信するとともに特定番組の番組データを送信し、前記再生時間枠において特定番組の番組データを繰り返し送信する送信ステップと
を含み、
前記割り当てステップでは、前記先行期間の開始時刻を第１の時刻とし、前記第１の時刻と再生開始時刻との間の時刻を第２の時刻とし、第１の時刻から、第２の時刻までは、前記特定番組に、所定帯域以下の放送帯域を割り当て、第２の時刻から、再生終了時刻までは、前記特定番組に、所定帯域以上の放送帯域を割り当て、
前記送信ステップでは、先行期間において、第２のＩＤが付された特定番組の番組データを送出し、再生時間枠において、前記特定番組の番組データとともに、このＩＤが付された番組データは、受信装置において必ず取込まれるものであるところの第１のＩＤが付され、かつ受信装置に対して、第２のＩＤの番組データを受信したら当該番組データをキャッシュさせる指示と当該番組データを再生させる指示とを含むコントールデータを繰り返し送信する
ことを特徴とする放送方法。
【請求項１７】受信装置での再生開始時刻から終了時刻までの再生時間枠が定められた特定番組を放送する放送方法であって、
前記再生時間枠における放送帯域を特定番組に割り当て、前記再生時間枠直前の先行期間における放送帯域について、放送帯域の一部を特定番組に、放送帯域の他の部分を他の番組に割り当てる割り当てステップと、
割り当て手段による割り当て結果に従って、前記先行期間において前記他の番組の番組データを繰り返し送信するとともに特定番組の番組データを送信し、前記再生時間枠において特定番組の番組データを繰り返し送信する送信ステップと、
特定番組の再生開始時刻前に、特定番組の番組データをキャッシュ、再生又は削除する命令と、前記各命令の命令ＩＤとの対応関係情報を含むテーブルデータを送出するテーブルデータ送信ステップと、
特定番組の再生開始時刻前に、キャッシュ命令を特定する命令ＩＤと、前記特定番組の番組データを特定する番組ＩＤとからなる第１メッセージを送出する第１メッセージ送信ステップと、
特定番組の再生開始時刻に、再生命令を特定する命令ＩＤと、前記特定番組の番組データを特定する番組ＩＤとからなる第２メッセージを送出する第２メッセージ送信ステップと、
特定番組の再生終了時刻に、削除命令を特定する命令ＩＤと、前記特定番組の番組データを特定する番組ＩＤとからなる第３メッセージを送出する第３メッセージ送信ステップとを含み、
前記割り当てステップでは、前記先行期間の開始時刻を第１の時刻とし、前記第１の時刻と再生開始時刻との間の時刻を第２の時刻とし、第１の時刻から、第２の時刻までは、前記特定番組に、所定帯域以下の放送帯域を割り当て、第２の時刻から、再生終了時刻までは、前記特定番組に、所定帯域以上の放送帯域を割り当てる
ことを特徴とする放送方法。
【請求項１８】受信装置での再生開始時刻から終了時刻までの再生時間枠が定められた特定番組を放送する放送方法であって、
前記再生時間枠における放送帯域を特定番組に割り当て、前記再生時間枠直前の先行期間における放送帯域について、放送帯域の一部を特定番組に、放送帯域の他の部分を他の番組に割り当てる割り当てステップと、
割り当て手段による割り当て結果に従って、前記先行期間において前記他の番組の番組データを繰り返し送信するとともに特定番組の番組データを送信し、前記再生時間枠において特定番組の番組データを繰り返し送信する送信ステップと、
特定番組の再生開始時刻前に、特定番組の番組データをキャッシュ、再生又は削除する命令と、受信したときに前記各命令を受信装置に実行させるデータを特定するためのデータＩＤとの対応関係情報を含むテーブルデータを送出するテーブルデータ送信ステップと、
特定番組の再生開始時刻前に、キャッシュ命令を受信装置に実行させるデータを特定するためのデータＩＤが付されている第１データを送出する第１データ送信ステップと、
特定番組の再生開始時刻に、再生命令を受信装置に実行させるデータを特定するためのデータＩＤが付されている第２データを送出する第２データ送信ステップと、
特定番組の再生終了時刻に、削除命令を受信装置に実行させるデータを特定するためのデータＩＤが付されている第３データを送出する第３データ送信ステップとを含み、
前記割り当てステップでは、前記先行期間の開始時刻を第１の時刻とし、前記第１の時刻と再生開始時刻との間の時刻を第２の時刻とし、第１の時刻から、第２の時刻までは、前記特定番組に、所定帯域以下の放送帯域を割り当て、第２の時刻から、再生終了時刻までは、前記特定番組に、所定帯域以上の放送帯域を割り当てる
ことを特徴とする放送方法。
【請求項１９】受信装置での再生開始時刻から終了時刻までの再生時間枠が定められた特定番組を放送する放送装置に搭載されたコンピュータに読み取り可能なプログラムであって、
前記再生時間枠における放送帯域を特定番組に割り当て、前記再生時間枠直前の先行期間における放送帯域について、放送帯域の一部を特定番組に、放送帯域の他の部分を他の番組に割り当てる割り当てステップと、
割り当て手段による割り当て結果に従って、前記先行期間において前記他の番組の番組データを繰り返し送信するとともに特定番組の番組データを送信し、前記再生時間枠において特定番組の番組データを繰り返し送信する送信ステップと、
特定番組の再生開始時刻前に、受信装置に、受信した前記特定番組の番組データをキャッシュさせるキャッシュ指示メッセージを送出するキャッシュ指示メッセージ送信ステップと、
所定のタイミングで、受信装置に、記録されている前記特定番組の番組データを再生させる再生指示メッセージを送出する再生指示メッセージ送信ステップと
を前記コンピュータに実行させ、
前記割り当てステップでは、前記先行期間の開始時刻を第１の時刻とし、前記第１の時刻と再生開始時刻との間の時刻を第２の時刻とし、第１の時刻から、第２の時刻までは、前記特定番組に、所定帯域以下の放送帯域を割り当て、第２の時刻から、再生終了時刻までは、前記特定番組に、所定帯域以上の放送帯域を割り当てる
ことを特徴とする放送プログラム。
【請求項２０】受信装置での再生開始時刻から終了時刻までの再生時間枠が定められた特定番組を放送する放送装置に搭載されたコンピュータに読み取り可能なプログラムであって、
前記再生時間枠における放送帯域を特定番組に割り当て、前記再生時間枠直前の先行期間における放送帯域について、放送帯域の一部を特定番組に、放送帯域の他の部分を他の番組に割り当てる割り当てステップと、
割り当て手段による割り当て結果に従って、前記先行期間において前記他の番組の番組データを繰り返し送信するとともに特定番組の番組データを送信し、前記再生時間枠において特定番組の番組データを繰り返し送信する送信ステップ
とを前記コンピュータに実行させ、
前記割り当てステップでは、前記先行期間の開始時刻を第１の時刻とし、前記第１の時刻と再生開始時刻との間の時刻を第２の時刻とし、第１の時刻から、第２の時刻までは、前記特定番組に、所定帯域以下の放送帯域を割り当て、第２の時刻から、再生終了時刻までは、前記特定番組に、所定帯域以上の放送帯域を割り当て、
前記送信ステップでは、先行期間において、第２のＩＤが付された特定番組の番組データを送出し、再生時間枠において、前記特定番組の番組データとともに、このＩＤが付された番組データは、受信装置において必ず取込まれるものであるところの第１のＩＤが付され、かつ受信装置に対して、第２のＩＤの番組データを受信したら当該番組データをキャッシュさせる指示と当該番組データを再生させる指示とを含むコントールデータを繰り返し送信する
ことを特徴とするプログラム。
【請求項２１】受信装置での再生開始時刻から終了時刻までの再生時間枠が定められた特定番組を放送する放送装置に搭載されたコンピュータに読み取り可能なプログラムであって、
前記再生時間枠における放送帯域を特定番組に割り当て、前記再生時間枠直前の先行期間における放送帯域について、放送帯域の一部を特定番組に、放送帯域の他の部分を他の番組に割り当てる割り当てステップと、
割り当て手段による割り当て結果に従って、前記先行期間において前記他の番組の番組データを繰り返し送信するとともに特定番組の番組データを送信し、前記再生時間枠において特定番組の番組データを繰り返し送信する送信ステップと、
特定番組の再生開始時刻前に、特定番組の番組データをキャッシュ、再生又は削除する命令と、前記各命令の命令ＩＤとの対応関係情報を含むテーブルデータを送出するテーブルデータ送信ステップと、
特定番組の再生開始時刻前に、キャッシュ命令を特定する命令ＩＤと、前記特定番組の番組データを特定する番組ＩＤとからなる第１メッセージを送出する第１メッセージ送信ステップと、
特定番組の再生開始時刻に、再生命令を特定する命令ＩＤと、前記特定番組の番組データを特定する番組ＩＤとからなる第２メッセージを送出する第２メッセージ送信ステップと、
特定番組の再生終了時刻に、削除命令を特定する命令ＩＤと、前記特定番組の番組データを特定する番組ＩＤとからなる第３メッセージを送出する第３メッセージ送信ステップと
を前記コンピュータに実行させ、
前記割り当てステップでは、前記先行期間の開始時刻を第１の時刻とし、前記第１の時刻と再生開始時刻との間の時刻を第２の時刻とし、第１の時刻から、第２の時刻までは、前記特定番組に、所定帯域以下の放送帯域を割り当て、第２の時刻から、再生終了時刻までは、前記特定番組に、所定帯域以上の放送帯域を割り当てる
ことを特徴とするプログラム。
【請求項２２】受信装置での再生開始時刻から終了時刻までの再生時間枠が定められた特定番組を放送する放送装置に搭載されたコンピュータに読み取り可能なプログラムであって、
前記再生時間枠における放送帯域を特定番組に割り当て、前記再生時間枠直前の先行期間における放送帯域について、放送帯域の一部を特定番組に、放送帯域の他の部分を他の番組に割り当てる割り当てステップと、
割り当て手段による割り当て結果に従って、前記先行期間において前記他の番組の番組データを繰り返し送信するとともに特定番組の番組データを送信し、前記再生時間枠において特定番組の番組データを繰り返し送信する送信ステップと、
特定番組の再生開始時刻前に、特定番組の番組データをキャッシュ、再生又は削除する命令と、受信したときに前記各命令を受信装置に実行させるデータを特定するためのデータＩＤとの対応関係情報を含むテーブルデータを送出するテーブルデータ送信ステップと、
特定番組の再生開始時刻前に、キャッシュ命令を受信装置に実行させるデータを特定するためのデータＩＤが付されている第１データを送出する第１データ送信ステップと、
特定番組の再生開始時刻に、再生命令を受信装置に実行させるデータを特定するためのデータＩＤが付されている第２データを送出する第２データ送信ステップと、
特定番組の再生終了時刻に、削除命令を受信装置に実行させるデータを特定するためのデータＩＤが付されている第３データを送出する第３データ送信ステップとを
前記コンピュータに実行させ、
前記割り当てステップでは、前記先行期間の開始時刻を第１の時刻とし、前記第１の時刻と再生開始時刻との間の時刻を第２の時刻とし、第１の時刻から、第２の時刻までは、前記特定番組に、所定帯域以下の放送帯域を割り当て、第２の時刻から、再生終了時刻までは、前記特定番組に、所定帯域以上の放送帯域を割り当てる
ことを特徴とするプログラム。
【手続補正２】
【補正対象書類名】明細書
【補正対象項目名】０１６８
【補正方法】変更
【補正の内容】
【０１６８】
また、ここで、特定の番組ブロックの各番組に割り当てる放送帯域を狭帯域から広帯域に切り変える時点を、図３０に示すように、各番組の再生開始時刻の直前としてもよく、図３１に示すように、各番組の再生開始時刻としてもよい。
（６）携帯電話、インターネットなど本発明は、デジタル放送に係る放送装置に限定するものではない。例えば、ケーブルテレビ網や携帯電話網などを通じて番組データを配信するＩＰストリームング放送等に係る放送装置等のようなものであってもよい。
（７）方法、プログラム記録媒体、プログラム本発明は、上記実施形態で説明した方法であるとしてもよい。また、これらの方法をコンピュータにより実現するコンピュータプログラムであってもよい。また、本発明は前記コンピュータプログラムを記録したコンピュータで読取り可能な記録媒体であってもよい。
（８）また、本発明は、受信装置での再生開始時刻から終了時刻までの再生時間枠が定められた特定番組を放送する放送装置であって、前記再生時間枠における放送帯域を特定番組に割り当て、前記再生時間枠直前の先行期間における放送帯域について、放送帯域の一部を特定番組に、放送帯域の他の部分を他の番組に割り当てる割り当て手段と、割り当て手段による割り当て結果に従って、前記先行期間において前記他の番組の番組データを繰り返し送信するとともに特定番組の番組データを送信し、前記再生時間枠において特定番組の番組データを繰り返し送信する送信手段とを備えるとしてもよい。
（９）上記の変形例（８）の放送装置において、前記割当て手段は、前記先行期間の開始時刻を第１の時刻とし、前記第１の時刻と再生開始時刻との間の時刻を第２の時刻とし、第１の時刻から、第２の時刻までは、前記特定番組に、所定帯域以下の放送帯域を割り当て、第２の時刻から、再生終了時刻までは、前記特定番組に、所定帯域以上の放送帯域を割り当てるとしてもよい。
（１０）上記の変形例（９）の放送装置において、特定番組用の番組データには、第１の番組データと、第１の番組データとは少なくとも一部が異なる第２の番組データの２種類があり、前記送信手段は、第１の時刻から再生開始時刻までは、第１の番組データを送信し、第２の時刻から再生終了時刻までは、第２の番組データを送信するとしてもよい。
（１１）また、上記の変形例（９）の放送装置は、さらに、特定番組の再生開始時刻前に、受信装置に、受信した前記特定番組の番組データをキャッシュさせるメッセージであるキャッシュ指示メッセージを送出するキャッシュ指示メッセージ送出手段とを備えるとしてもよい。
（１２）上記の変形例（９）の放送装置において、前記送信手段により前記先行期間において繰り返し送信する前記他の番組の番組データ内には、受信装置において特定番組の番組データを受信したらキャッシュさせる命令が含まれているとしてもよい。
（１３）上記の変形例（９）の放送装置は、さらに、特定番組の再生開始時刻前において、当該特定番組の番組データの送信周期以下の時間間隔で、受信装置に、受信した前記特定番組の番組データをキャッシュさせるメッセージであるキャッシュ指示メッセージを繰り返し送信するキャッシュ指示メッセージ送信手段を備えるとしてもよい。
（１４）上記の変形例（９）の放送装置は、さらに、特定番組の再生開始時刻に、これの受信直後に、受信装置に、記録されている前記特定番組の番組データを再生させるメッセージである再生指示メッセージを送出する再生指示メッセージ送信手段を備えるとしてもよい。
（１５）上記の変形例（９）の放送装置は、さらに、特定番組の再生開始時刻前に、受信装置に、記録されている前記特定番組の番組データを、前記特定番組の再生開始時刻に、再生させるメッセージである再生指示メッセージを送出する再生指示メッセージ送信手段を備えるとしてもよい。
（１６）上記の変形例（９）の放送装置は、さらに、特定番組の再生終了時刻に、これの受信直後に、受信装置に、記録されている前記特定番組の番組データを削除させるメッセージである削除指示メッセージを送出する削除指示メッセージ送信手段を備えるとしてもよい。
（１７）上記の変形例（９）の放送装置は、さらに、特定番組の再生終了時刻前に、受信装置に、記録されている前記特定番組の番組データを、前記特定番組の再生終了時刻に削除させるメッセージである削除指示メッセージを送出する削除指示メッセージ送信手段を備えるとしてもよい。
（１８）上記の変形例（９）の放送装置において、前記割り当て手段における、第２の時刻から再生開始時刻までの時間と、第２の時刻から再生開始時刻までの前記特定番組の放送帯域とは、前記特定番組の番組データのデータ量以上のデータの送信に必要なものである。
（１９）上記の変形例（９）の放送装置において、前記割当て手段は、前記第２の時刻から再生開始時刻までに割り当てる特定番組用の番組データの放送帯域を、前記再生開始時刻から再生終了時刻までに割り当てる放送帯域よりも小さくするとしてもよい。
（２０）上記の変形例（９）の放送装置において、前記割当て手段では、第１の時刻から第２の時刻までに、前記特定番組に割り当てる放送帯域を一定値としてもよい。
（２１）また、本発明は、データ放送番組とそれに挿入される第１、第２特定番組とを送信する放送装置であって、前記データ放送番組の放送開始時刻から放送終了時刻までの全時間帯に含まれる第１及び第２時間帯における放送帯域を第１及び第２特定番組に割り当て、前記全時間帯の中で第１及び第２時間帯を除く時間帯において、放送帯域の一部を第１及び第２特定番組に、放送帯域の他の一部をデータ放送番組に割り当てる割り当て手段と、第１、第２特定番組の番組データを受信装置内の記憶部に保存することを受信装置にそれぞれ指示する第１、第２保存指示と、前記記憶部に第１、第２特定番組の番組データが保存されている場合にその番組データを再生することを受信装置にそれぞれ指示する第１、第２再生指示とを作成する作成手段と、割り当て手段による割り当て結果に従って、データ放送番組、第１、第２特定番組それぞれの番組データを繰り返し送信する送信手段と、第１時間帯以前に第１保存指示を、第１時間帯の開始時刻に第１再生指示を、第２時間帯以前に第２保存指示を、第２時間帯の開始時刻に第２再生指示を送信手段にそれぞれ送信させるよう送信手段を制御する制御手段とを備えたことを特徴とする放送装置であるとしてもよい。
（２２）上記の変形例（２１）の放送装置において、前記割当て手段は、第１時間帯において、第１特定番組の番組データに、所定帯域以上の放送帯域を割り当て、第２時間帯において、第２特定番組の番組データに、所定帯域以上の放送帯域を割り当て、前記全時間帯の中で、第１時間帯を除く時間帯において、第１特定番組の番組データに所定帯域以下の放送帯域を割当て、前記全時間帯の中で、第２時間帯を除く時間帯において、第２特定番組の番組データに所定帯域以下の放送帯域を割り当てるとしてもよい。
（２３）また、上記の変形例（２１）の放送装置を構成する前記割当て手段は、第１時間帯及びその直前の期間において、第１特定番組の番組データに、所定帯域以上の放送帯域を割り当て、第２時間帯及びその直前の期間において、第２特定番組の番組データに、所定帯域以上の放送帯域を割り当て、前記全時間帯の中で、第１時間帯及びその直前の期間を除く時間帯において、第１特定番組の番組データに、所定帯域以下の放送帯域を割り当て、前記全時間帯の中で、第２時間帯及びその直前の期間を除く時間帯において、第２特定番組の番組データに、所定帯域以下の放送帯域を割り当てるとしてもよい。
（２４）また、本発明は、データ放送番組とそれに挿入される第１、第２特定番組とを送信する放送装置であって、前記データ放送番組の放送開始時刻から放送終了時刻までの全時間帯に含まれる第１、第２時間帯における放送帯域を第１、第２特定番組にそれぞれ割り当て、さらに、前記全時間帯の中で第１時間帯に先行する時間帯において、放送帯域の一部を第１特定番組に、前記全時間帯の中で第２時間帯に先行する時間帯において放送帯域の他の一部を第２特定番組に、放送帯域の別の一部をデータ放送番組に割り当てる割り当て手段と、第１、第２特定番組の番組データを受信装置内の記憶部に保存することを受信装置にそれぞれ指示する第１、第２保存指示と、前記記憶部に第１、第２特定番組の番組データが保存されている場合にその番組データを再生することを受信装置にそれぞれ指示する第１、第２再生指示とを作成する作成手段と、割り当て手段による割り当て結果に従って、データ放送番組、第１、第２特定番組それぞれの番組データを繰り返し送信する送信手段と、第１時間帯以前に第１保存指示を、第２時間帯以前に第２保存指示を、第１時間帯の開始時刻に第１再生指示を、第２時間帯の開始時刻に第２再生指示を、送信手段に送信させるよう送信手段を制御する制御手段とを備えているとしてもよい。
（２５）上記の変形例（２４）の放送装置において、前記割当て手段は、第１時間帯において、第１特定番組の番組データに、所定帯域以上の放送帯域を割り当て、第２時間帯において、第２特定番組の番組データに、所定帯域以上の放送帯域を割り当て、前記全時間帯の中で、第１時間帯に先行する時間帯において、第１特定番組の番組データに所定帯域以下の放送帯域を割り当て、前記全時間帯の中で、第２時間帯に先行する時間帯において、第２特定番組の番組データに所定帯域以下の放送帯域を割り当てるとしてもよい。
（２６）上記の変形例（２４）の放送装置において、前記割当て手段は、第１時間帯及びその直前の期間において、第１特定番組の番組データに、所定帯域以上の放送帯域を割り当て、第２時間帯及びその直前の期間において、第２特定番組の番組データに、所定帯域以上の放送帯域を割り当て、前記全時間帯の中で、第１時間帯及びその直前の期間に先行する時間帯において、第１特定番組の番組データに、所定帯域以下の放送帯域を割り当て、前記全時間帯の中で、第２時間帯及びその直前の期間に先行する時間帯において、第２特定番組の番組データに所定帯域以下の放送帯域を割り当てるとしてもよい。
（２７）また、本発明は、受信装置での再生開始時刻から再生終了時刻までの再生時間帯が定められているデータ放送番組と、それに挿入される１の番組又は連続した２以上の番組から構成される番組ブロックを送信する放送装置であって、データ放送番組の再生時間帯内の時刻であって、当該時刻と、当該特定の番組ブロックとの間に、他の番組ブロックを挟まない条件を満たすような時刻である第１の時刻から特定の番組ブロックに属する最先の番組の再生開始時刻までの放送帯域を、データ放送番組と、特定の番組ブロックに属するすべての番組に割り当て、特定の番組ブロックに属する各番組の再生時間帯における放送帯域を、その番組と、同一のブロックに属する後続する番組に割り当てる割り当て手段と、特定の番組ブロックに属する各番組の番組データを受信装置内の記憶部に保存することを受信装置にそれぞれ指示する保存指示と、前記記憶部に前記各番組の番組データが保存されている場合にその番組データを再生することを受信装置にそれぞれ指示する再生指示とを作成する作成手段と、割り当て手段による割り当て結果に従って、データ放送番組、特定の番組ブロックに属する各番組のそれぞれの番組データを繰り返し送信する送信手段と、特定の番組ブロックに属する各番組の再生開始時刻以前に、その番組データの保存指示を、その番組の再生開始時刻にその番組データの再生指示を送信手段に送信させるよう送信手段を制御する制御手段とを備えるとしてもよい。
（２８）上記の変形例（２７）の放送装置において、前記割当て手段は、特定の番組ブロックに属する各番組の再生時間帯における放送帯域を所定帯域以上割り当て、前記再生時間帯以外の時間帯における放送帯域を所定帯域以下に割り当てるとしてもよい。
（２９）上記の変形例（２７）の放送装置において、前記割当て手段は、特定の番組ブロックに属する各番組の再生開始時刻の直前の時刻から再生終了時刻までの時間帯における放送帯域を所定帯域以上割当て、前記時間帯以外の時間帯における放送帯域を所定の帯域以下に割り当てるとしてもよい。
（３０）上記の変形例（２７）の放送装置において、前記番組ブロック内に第１の番組と、第１の番組に後続する第２の番組とが含まれる場合において、前記割当て手段は、前記第１の時刻と、データ放送番組の再生時間帯内の時刻である第２の時刻と、第１の番組の再生終了時刻（第２の番組の再生開始時刻）と、第２の番組の再生終了時刻とにより順に区切られた期間を第１〜第３送出期間としたときに、第１送出期間において、第１の番組と第２の番組の番組に、所定の帯域以下の放送帯域を割り当て、第２送出期間において、第１の番組に、所定の帯域以上の放送帯域を割り当て、第２の番組に、所定の帯域以下の放送帯域を割り当て、第３送出期間において、第２の番組に、所定の帯域以上の放送帯域を割り当てるとしてもよい。
（３１）上記の変形例（２７）の放送装置において、前記番組ブロック内に第１の番組と、第１の番組に後続する第２の番組とが含まれる場合において、前記割当て手段は、前記第１の時刻と、データ放送番組の再生時間帯内の時刻である第２の時刻と、第１の番組の再生時間帯内の時刻である第３の時刻と、第２の番組の再生開始時刻と、第２の番組の再生終了時刻とにより順に区切られた期間を第１〜第４送出期間としたときに、第１送出期間において、第１の番組と第２の番組の番組に、所定の帯域以下の放送帯域を割り当て、第２送出期間において、第１の番組に、所定の帯域以上の放送帯域を割り当て、第２の番組の番組に、所定の帯域以下の放送帯域を割り当て、第３送出期間において、第１の番組に、所定の帯域以上の放送帯域を割り当て、第２の番組に、所定の帯域以上の放送帯域を割り当て、第４送出期間において、第２の番組に、所定の帯域以上の放送帯域を割り当てるとしてもよい。
（３２）また、本発明は、受信装置での再生開始時刻から終了時刻までの再生時間枠が定められた特定番組を放送する放送方法であって、前記再生時間枠における放送帯域を特定番組に割り当て、前記再生時間枠直前の先行期間における放送帯域について、放送帯域の一部を特定番組に、放送帯域の他の部分を他の番組に割り当てる割り当てステップと、割り当てステップによる割り当て結果に従って、前記先行期間において前記他の番組の番組データを繰り返し送信するとともに特定番組の番組データを送信し、前記再生時間枠において特定番組の番組データを繰り返し送信する送信ステップとを含むとしてもよい。
（３３）また、本発明は、データ放送番組とそれに挿入される第１、第２特定番組とを送信する放送方法であって、前記データ放送番組の放送開始時刻から放送終了時刻までの全時間帯に含まれる第１及び第２時間帯における放送帯域を第１及び第２特定番組に割り当て、前記全時間帯の中で第１及び第２時間帯を除く時間帯において、放送帯域の一部を第１及び第２特定番組に、放送帯域の他の一部をデータ放送番組に割り当てる割り当てステップと、第１、第２特定番組の番組データを受信装置内の記憶部に保存することを受信装置にそれぞれ指示する第１、第２保存指示と、前記記憶部に第１、第２特定番組の番組データが保存されている場合にその番組データを再生することを受信装置にそれぞれ指示する第１、第２再生指示とを作成する作成ステップと、第１時間帯以前に第１保存指示を、第１時間帯の開始時刻に第１再生指示を、第２時間帯以前に第２保存指示を、第２時間帯の開始時刻に第２再生指示を送信するとともに、割り当てステップによる割り当て結果に従って、データ放送番組、第１、第２特定番組それぞれの番組データを繰り返し送信する送信ステップとを含むとしてもよい。
（３４）また、本発明は、データ放送番組とそれに挿入される第１、第２特定番組とを送信する放送方法であって、前記データ放送番組の放送開始時刻から放送終了時刻までの全時間帯に含まれる第１、第２時間帯における放送帯域を第１、第２特定番組にそれぞれ割り当て、さらに前記全時間帯の中で第１時間帯に先行する時間帯において、放送帯域の一部を第１特定番組に、前記全時間帯の中で第２時間帯に先行する時間帯において放送帯域の他の一部を第２特定番組に、放送帯域の別の一部をデータ放送番組に割り当てる割り当てステップと、第１、第２特定番組の番組データを受信装置内の記憶部に保存することを受信装置にそれぞれ指示する第１、第２保存指示と、前記記憶部に第１、第２特定番組の番組データが保存されている場合にその番組データを再生することを受信装置にそれぞれ指示する第１、第２再生指示とを作成する作成ステップと、第１時間帯以前に第１保存指示を、第２時間帯以前に第２保存指示を、第１時間帯の開始時刻に第１再生指示を、第２時間帯の開始時刻に第２再生指示を、送信するとともに、割り当てステップによる割り当て結果に従って、データ放送番組、第１、第２特定番組それぞれの番組データを繰り返し送信する送信ステップとを含むとしてもよい。
（３５）また、本発明は、データ放送番組及び番組ブロックに属する各番組は、受信装置での再生開始時刻から再生終了時刻までの再生時間帯が定められているデータ放送番組と、それに挿入される１の番組又は連続した２以上の番組から構成される番組ブロックを送信する放送方法であって、データ放送番組の再生時間帯内の時刻であって、当該時刻と、当該特定の番組ブロックとの間に、他の番組ブロックを挟まない条件を満たすような時刻である第１の時刻から特定の番組ブロックに属する最先の番組の再生開始時刻までの放送帯域を、データ放送番組と、特定の番組ブロックに属するすべての番組に割り当て、特定の番組ブロックに属する各番組の再生時間帯における放送帯域を、その番組と、同一のブロックに属する後続する番組に割り当てる割り当てステップと、特定の番組ブロックに属する各番組の番組データを受信装置内の記憶部に保存することを受信装置にそれぞれ指示する保存指示と、前記記憶部に前記各番組の番組データが保存されている場合にその番組データを再生することを受信装置にそれぞれ指示する再生指示とを作成する作成ステップと、特定の番組ブロックに属する各番組の再生開始時刻以前に、その番組データの保存指示を、その番組の再生開始時刻にその番組データの再生指示を送信するとともに、割当てステップによる放送帯域の割当てに従って、データ放送番組、特定の番組ブロックに属する各番組のそれぞれの番組データを繰り返し送信する送信ステップとを含むとしてもよい。
（３６）また、本発明は、受信装置での再生開始時刻から終了時刻までの再生時間枠が定められた特定番組を放送するコンピュータに前記再生時間枠における放送帯域を特定番組に割り当て、前記再生時間枠直前の先行期間における放送帯域について、放送帯域の一部を特定番組に、放送帯域の他の部分を他の番組に割り当てる割り当てステップと、割り当てステップによる割り当て結果に従って、前記先行期間において前記他の番組の番組データを繰り返し送信するとともに特定番組の番組データを送信し、前記再生時間枠において特定番組の番組データを繰り返し送信する送信ステップとを実行させるためのプログラムを記録したコンピュータ読み取り可能な記録媒体であるとしてもよい。
（３７）また、本発明は、データ放送番組とそれに挿入される第１、第２特定番組とを放送するコンピュータに、前記データ放送番組の放送開始時刻から放送終了時刻までの全時間帯に含まれる第１及び第２時間帯における放送帯域を第１及び第２特定番組に割り当て、前記全時間帯の中で第１及び第２時間帯を除く時間帯において、放送帯域の一部を第１及び第２特定番組に、放送帯域の他の一部をデータ放送番組に割り当てる割り当てステップと、第１、第２特定番組の番組データを受信装置内の記憶部に保存することを受信装置にそれぞれ指示する第１、第２保存指示と、前記記憶部に第１、第２特定番組の番組データが保存されている場合にその番組データを再生することを受信装置にそれぞれ指示する第１、第２再生指示とを作成する作成ステップと、第１時間帯以前に第１保存指示を、第１時間帯の開始時刻に第１再生指示を、第２時間帯以前に第２保存指示を、第２時間帯の開始時刻に第２再生指示を送信するとともに、割り当てステップによる割り当て結果に従って、データ放送番組、第１、第２特定番組それぞれの番組データを繰り返し送信する送信ステップとを実行させるためのプログラムを記録したコンピュータ読み取り可能な記録媒体であるとしてもよい。
（３８）また、本発明は、データ放送番組とそれに挿入される第１、第２特定番組とを放送するコンピュータに、前記データ放送番組の放送開始時刻から放送終了時刻までの全時間帯に含まれる第１、第２時間帯における放送帯域を第１、第２特定番組に割り当て、前記全時間帯の中で第１時間帯に先行する時間帯において、放送帯域の一部を第１特定番組に、前記全時間帯の中で第２時間帯に先行する時間帯において放送帯域の他の一部を第２特定番組に、放送帯域の別の一部をデータ放送番組に割り当てる割り当てステップと、第１、第２特定番組の番組データを受信装置内の記憶部に保存することを受信装置にそれぞれ指示する第１、第２保存指示と、前記記憶部に第１、第２特定番組の番組データが保存されている場合にその番組データを再生することを受信装置にそれぞれ指示する第１、第２再生指示とを作成する作成ステップと、第１時間帯以前に第１保存指示を、第２時間帯以前に第２保存指示を、第１時間帯の開始時刻に第１再生指示を、第２時間帯の開始時刻に第２再生指示を、送信するとともに、割り当てステップによる割り当て結果に従って、データ放送番組、第１、第２特定番組それぞれの番組データを繰り返し送信する送信ステップとを実行させるためのプログラムを記録したコンピュータ読み取り可能な記録媒体としてもよい。
（３９）また、本発明は、受信装置での再生開始時刻から再生終了時刻までの再生時間帯が定められているデータ放送番組と、それに挿入される１の番組又は連続した２以上の番組から構成される番組ブロックを放送するコンピュータに、データ放送番組の再生時間帯内の時刻であって、当該時刻と、当該特定の番組ブロックとの間に、他の番組ブロックを挟まない条件を満たすような時刻である第１の時刻から特定の番組ブロックに属する最先の番組の再生開始時刻までの放送帯域を、データ放送番組と、特定の番組ブロックに属するすべての番組に割り当て、特定の番組ブロックに属する各番組の再生時間帯における放送帯域を、その番組と、同一のブロックに属する後続する番組に割り当てる割り当てステップと、特定の番組ブロックに属する各番組の番組データを受信装置内の記憶部に保存することを受信装置にそれぞれ指示する保存指示と、前記記憶部に前記各番組の番組データが保存されている場合にその番組データを再生することを受信装置にそれぞれ指示する再生指示とを作成する作成ステップと、特定の番組ブロックに属する各番組の再生開始時刻以前に、その番組データの保存指示を、その番組の再生開始時刻にその番組データの再生指示を送信するとともに、割当てステップによる放送帯域の割当てに従って、データ放送番組、特定の番組ブロックに属する各番組のそれぞれの番組データを繰り返し送信する送信ステップとを実行させるためのプログラムを記録したコンピュータ読み取り可能な記録媒体であるとしてもよい。
（４０）また、本発明は、受信装置での再生開始時刻から終了時刻までの再生時間枠が定められた特定番組を放送するコンピュータに、前記再生時間枠における放送帯域を特定番組に割り当て、前記再生時間枠直前の先行期間における放送帯域について、放送帯域の一部を特定番組に、放送帯域の他の部分を他の番組に割り当てる割り当てステップと、割り当てステップによる割り当て結果に従って、前記先行期間において前記他の番組の番組データを繰り返し送信するとともに特定番組の番組データを送信し、前記再生時間枠において特定番組の番組データを繰り返し送信する送信ステップとを実行させるためのプログラムである。
（４１）また、本発明は、データ放送番組とそれに挿入される第１、第２特定番組とを放送するコンピュータに、前記データ放送番組の放送開始時刻から放送終了時刻までの全時間帯に含まれる第１及び第２時間帯における放送帯域を第１及び第２特定番組に割り当て、前記全時間帯の中で第１及び第２時間帯を除く時間帯において、放送帯域の一部を第１及び第２特定番組に、放送帯域の他の一部をデータ放送番組に割り当てる割り当てステップと、第１、第２特定番組の番組データを受信装置内の記憶部に保存することを受信装置にそれぞれ指示する第１、第２保存指示と、前記記憶部に第１、第２特定番組の番組データが保存されている場合にその番組データを再生することを受信装置にそれぞれ指示する第１、第２再生指示とを作成する作成ステップと、第１時間帯以前に第１保存指示を、第１時間帯の開始時刻に第１再生指示を、第２時間帯以前に第２保存指示を、第２時間帯の開始時刻に第２再生指示を送信するとともに、割り当てステップによる割り当て結果に従って、データ放送番組、第１、第２特定番組それぞれの番組データを繰り返し送信する送信ステップとを実行させるためのプログラムであるとしてもよい。
（４２）また、本発明は、データ放送番組とそれに挿入される第１、第２特定番組とを放送するコンピュータに、前記データ放送番組の放送開始時刻から放送終了時刻までの全時間帯に含まれる第１、第２時間帯における放送帯域を第１、第２特定番組に割り当て、前記全時間帯の中で第１時間帯に先行する時間帯において、放送帯域の一部を第１特定番組に、前記全時間帯の中で第２時間帯に先行する時間帯において放送帯域の他の一部を第２特定番組に、放送帯域の別の一部をデータ放送番組に割り当てる割り当てステップと、第１、第２特定番組の番組データを受信装置内の記憶部に保存することを受信装置にそれぞれ指示する第１、第２保存指示と、前記記憶部に第１、第２特定番組の番組データが保存されている場合にその番組データを再生することを受信装置にそれぞれ指示する第１、第２再生指示とを作成する作成ステップと、第１時間帯以前に第１保存指示を、第２時間帯以前に第２保存指示を、第１時間帯の開始時刻に第１再生指示を、第２時間帯の開始時刻に第２再生指示を、送信するとともに、割り当てステップによる割り当て結果に従って、データ放送番組、第１、第２特定番組それぞれの番組データを繰り返し送信する送信ステップとを実行させるためのプログラムであるとしてもよい。
（４３）また、本発明は、受信装置での再生開始時刻から再生終了時刻までの再生時間帯が定められているデータ放送番組と、それに挿入される１の番組又は連続した２以上の番組から構成される番組ブロックを放送するコンピュータに、データ放送番組の再生時間帯内の時刻であって、当該時刻と、当該特定の番組ブロックとの間に、他の番組ブロックを挟まない条件を満たすような時刻である第１の時刻から特定の番組ブロックに属する最先の番組の再生開始時刻までの放送帯域を、データ放送番組と、特定の番組ブロックに属するすべての番組に割り当て、特定の番組ブロックに属する各番組の再生時間帯における放送帯域を、その番組と、同一のブロックに属する後続する番組に割り当てる割り当てステップと、特定の番組ブロックに属する各番組の番組データを受信装置内の記憶部に保存することを受信装置にそれぞれ指示する保存指示と、前記記憶部に前記各番組の番組データが保存されている場合にその番組データを再生することを受信装置にそれぞれ指示する再生指示とを作成する作成ステップと、特定の番組ブロックに属する各番組の再生開始時刻以前に、その番組データの保存指示を、その番組の再生開始時刻にその番組データの再生指示を送信するとともに、割当てステップによる放送帯域の割当てに従って、データ放送番組、特定の番組ブロックに属する各番組のそれぞれの番組データを繰り返し送信する送信ステップとを実行させるためのプログラムであるとしてもよい。